(57)【要約】      （修正有）【課題】従来のダイレクトメールと差別化を図ることができると共に受取人に関心を持たせて開封させることにより広告機能を発揮させることができるメモ帳転用可能ダイレクトメール封筒を提供する。【解決手段】メモ帳転用可能ダイレクトメール封筒は、封筒本体１２と、封筒本体に内設されるメモ帳本体と、から構成されている。封筒本体１２の封筒宛名記載板１６の一側には封筒第１背面板２４が連続形成され、他側には封筒第２背面板３４が連続形成されている。また、封筒宛名記載板１６の一端にはメモ帳本体カバー表紙板４０が連続形成され、このメモ帳本体カバー表紙板４０と封筒宛名記載板１６の間にメモ帳本体が固定されている。【選択図】図３
0003200037.tif 000002
【実用新案登録請求の範囲】
【請求項１】
封筒本体と、この封筒本体に内設されるメモ帳本体と、を備えてなるメモ帳転用可能ダイレクトメール封筒であって、
前記封筒本体に形成された封筒宛名記載板と、この封筒宛名記載板の一側に第１ミシン目線を介して連続形成された封筒第１背面板と、前記封筒宛名記載板の他側に第２ミシン目線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されると共に前記封筒宛名記載板と一緒に前記メモ帳本体の一端部を挟むメモ帳本体カバー表紙板と、前記封筒宛名記載板の他端に第３ミシン目線を介して連続形成された封筒第３背面板と、を有してなることを特徴とするメモ帳転用可能ダイレクトメール封筒。
【請求項２】
封筒本体と、この封筒本体に内設されるメモ帳本体と、を備えてなるメモ帳転用可能ダイレクトメール封筒であって、
前記封筒本体に形成された封筒宛名記載板と、この封筒宛名記載板の一側に第１ミシン目線を介して連続形成された封筒第１背面板と、前記封筒宛名記載板の他側に第２ミシン目線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されたメモ帳本体カバー表紙板と、このメモ帳本体カバー表紙板に形成されると共に前記封筒宛名記載板と一緒に前記メモ帳本体の一端部を挟んで固定する綴じ片部と、前記メモ帳本体カバー表紙板に左右方向に向かって形成された第１折り返し線と第２折り返し線の間に形成されたメモ帳用広告記載部と、前記封筒宛名記載板の他端に第３ミシン目線を介して連続形成された封筒第３背面板と、を有してなることを特徴とするメモ帳転用可能ダイレクトメール封筒。
【請求項３】
封筒本体と、この封筒本体に内設されるメモ帳本体と、を備えてなるメモ帳転用可能ダイレクトメール封筒であって、
前記封筒本体に形成された封筒宛名記載板と、この封筒宛名記載板に形成された第１差込スリットと、前記封筒宛名記載板の一側に第１ミシン目線、第１折り線を介して連続形成された封筒第１背面板と、前記封筒宛名記載板の他側に第２ミシン目線、第２折り線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されたメモ帳本体カバー表紙板と、このメモ帳本体カバー表紙板に形成されると共に前記封筒宛名記載板と一緒に前記メモ帳本体の一端部を挟んで固定する綴じ片部と、前記メモ帳本体カバー表紙板に左右方向に向かって形成された第１折り返し線と第２折り返し線の間に形成されたメモ帳用広告記載部と、前記封筒宛名記載板の他端に第３ミシン目線、第４折り線を介して連続形成された封筒第３背面板と、を有してなることを特徴とするメモ帳転用可能ダイレクトメール封筒。
【考案の詳細な説明】
【技術分野】
【０００１】
本考案は、内部にメモ帳本体を内設することによりダイレクトメールとして届いた後はメモ帳に転用して使用することができるメモ帳転用可能ダイレクトメール封筒に関する。
【背景技術】
【０００２】
従来から商品販売業者やサービス提供業者等（以下「発送人」と称す）が不特定多数の消費者（以下「受取人」と称す）に発送人の商品やサービスを記載した手紙等を送付するダイレクトメールが広く知られている。
しかし、従来のダイレクトメールは一般的な封筒の中に発送人の商品やサービスの広告等を記載した手紙等を収容してなるものである。  
このため、ダイレクトメールが不特定多数の受取人の元に届いても、受取人はダイレクトメールとわかると開封せずに廃棄してしまう場合が多い。
そこで、宛名スペース以外の両面に広告内容を印刷した紙を折り畳んで形成されたダイレクトメール用簡易折込封筒用紙が提案されている（例えば、特許文献１）。
このダイレクトメール用簡易折込封筒用紙は強度を確保することにより広告印刷物を封入することができるが、従来のダイレクトメールと同様に扁平であるため従来のダイレクトメールと差別化を図ることが困難で、受取人が関心を持っていない商品やサービス等のダイレクトメールであると未開封のまま廃棄されてしまうという不具合がある。
従って、発送人にとってはダイレクトメール作成費用や送付料金等の費用を投入しても投入費用に見合う広告効果を得られないという不具合がある。
【先行技術文献】
【特許文献】
【０００３】
【特許文献１】特開２００５−３０６４７７号公報
【考案の概要】
【考案が解決しようとする課題】
【０００４】
本考案は、上記の如き実情に鑑みこれらの課題を解決することを目的として創作されたものであり、従来のダイレクトメールと一見して差別化を図ることができると共に受取人が関心を示して開封することにより広告機能を発揮できるメモ帳転用可能ダイレクトメール封筒を提供する。
【課題を解決するための手段】
【０００５】
本考案は、上記の如き実情に鑑みこれらの課題を解決することを目的として創作されたものであり、請求項１の考案は、封筒本体と、この封筒本体に内設されるメモ帳本体と、を備えてなるメモ帳転用可能ダイレクトメール封筒であって、
前記封筒本体に形成された封筒宛名記載板と、この封筒宛名記載板の一側に第１ミシン目線を介して連続形成された封筒第１背面板と、前記封筒宛名記載板の他側に第２ミシン目線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されると共に前記封筒宛名記載板と一緒に前記メモ帳本体の一端部を挟むメモ帳本体カバー表紙板と、前記封筒宛名記載板の他端に第３ミシン目線を介して連続形成された封筒第３背面板と、を有してなることを特徴としている。
請求項２の考案は、封筒本体と、この封筒本体に内設されるメモ帳本体と、を備えてなるメモ帳転用可能ダイレクトメール封筒であって、
前記封筒本体に形成された封筒宛名記載板と、この封筒宛名記載板の一側に第１ミシン目線を介して連続形成された封筒第１背面板と、前記封筒宛名記載板の他側に第２ミシン目線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されたメモ帳本体カバー表紙板と、このメモ帳本体カバー表紙板に形成されると共に前記封筒宛名記載板と一緒に前記メモ帳本体の一端部を挟んで固定する綴じ片部と、前記メモ帳本体カバー表紙板に左右方向に向かって形成された第１折り返し線と第２折り返し線の間に形成されたメモ帳用広告記載部と、前記封筒宛名記載板の他端に第３ミシン目線を介して連続形成された封筒第３背面板と、を有してなることを特徴としている。
請求項３の考案は、封筒本体と、この封筒本体に内設されるメモ帳本体と、を備えてなるメモ帳転用可能ダイレクトメール封筒であって、
前記封筒本体に形成された封筒宛名記載板と、この封筒宛名記載板に形成された第１差込スリットと、前記封筒宛名記載板の一側に第１ミシン目線、第１折り線を介して連続形成された封筒第１背面板と、前記封筒宛名記載板の他側に第２ミシン目線、第２折り線を介して連続形成されると共に前記封筒第１背面板と接着可能な封筒第２背面板と、前記封筒第１背面板又は前記封筒第２背面板の少なくとも一方に上下方向に向かって形成された開封用ミシン目と、前記封筒宛名記載板の一端に第３折り線を介して連続形成されたメモ帳本体カバー表紙板と、このメモ帳本体カバー表紙板に形成されると共に前記封筒宛名記載板と一緒に前記メモ帳本体の一端部を挟んで固定する綴じ片部と、前記メモ帳本体カバー表紙板に左右方向に向かって形成された第１折り返し線と第２折り返し線の間に形成されたメモ帳用広告記載部と、前記封筒宛名記載板の他端に第３ミシン目線、第４折り線を介して連続形成された封筒第３背面板と、を有してなることを特徴としている。
【考案の効果】
【０００６】
本考案のメモ帳転用可能ダイレクトメール封筒は、メモ帳本体が内設されているので立体的であるため他のダイレクトメールと一見して差別化を図ることができて受取人が関心を示すことにより開封される可能性を一段と向上させることができて広告効果を発揮できるという優れた効果を有する。
本考案のメモ帳転用可能ダイレクトメール封筒はメモ帳に転用できるのでダイレクトメールとしての役割を果たした後もメモ帳として使用できるという優れた効果を有する。
請求項２、請求項３のメモ帳転用可能ダイレクトメール封筒は、上記優れた効果の他にメモ帳用広告記載部が設けられているのでメモ帳として使用する場合も広告効果を発揮することができるという優れた効果を有する。
【図面の簡単な説明】
【０００７】
【図１】実施例のメモ帳転用可能ダイレクトメール封筒の正面図である。
【図２】実施例のメモ帳転用可能ダイレクトメール封筒の背面図である。
【図３】実施例のメモ帳転用可能ダイレクトメール封筒の封筒本体の展開正面図である。
【図４】実施例のメモ帳転用可能ダイレクトメール封筒の封筒本体の展開背面図である。
【図５】実施例のメモ帳転用可能ダイレクトメール封筒のメモ帳本体の正面図である。
【図６】実施例のメモ帳転用可能ダイレクトメール封筒のメモ帳本体からメモ帳広告用紙を切り離した状態の正面図である。
【図７】実施例のメモ帳転用可能ダイレクトメール封筒から封筒第１背面板、封筒第２背面板、封筒第３背面板を取り除いた状態の正面図である。
【図８】実施例のメモ帳転用可能ダイレクトメール封筒から転用されたメモ帳の斜視図である。
【図９】実施例のメモ帳転用可能ダイレクトメール封筒から転用されたメモ帳の背面図である。
【考案を実施するための形態】
【０００８】
考案を実施するために最良の形態の例として以下のような実施例を示す。
【実施例１】
【０００９】
図１〜図９にはメモ帳転用可能ダイレクトメール封筒の一実施例が示されている。なお、この実施例では発送人が印刷会社の場合を例にして説明する。
【００１０】
図１及び図２に示されるように、実施例のメモ帳転用可能ダイレクトメール封筒１０は、紙製の封筒本体１２と、この封筒本体１２に内設される紙製のメモ帳本体１４と、から構成されている。このメモ帳転用可能ダイレクトメール封筒１０は封筒本体１２の内側に一定の厚みを有するメモ帳本体１４（図５参照）が設けられることにより一定の厚みを有し、立体的に形成され、従来の扁平なダイレクトメールと一見して差別化を図れることができるようになっている。
【００１１】
図３及び図４に示されるように、前記封筒本体１２の封筒宛名記載板１６は矩形状に形成されている。図３に示されるように、この封筒宛名記載板１６の上部から中間部の表面にはメモ帳転用可能ダイレクトメール封筒１０が送付される受取人の住所、氏名等を記載する宛名記載部１６Ａが形成されている。なお、封筒宛名記載板１６の下部１６Ｂには発送人の社名や電話番号等が印刷されるようになっている。
【００１２】
図３及び図４に示されるように、前記封筒宛名記載板１６の中央部には円弧状の第１差込スリット１８が形成されている。
【００１３】
前記封筒宛名記載板１６の一側には第１ミシン目線２０、第１折り線２２を介して封筒第１背面板２４が連続形成されている。この封筒第１背面板２４には上下方向に向かって帯状の開封用ミシン目２６が形成されている。
【００１４】
前記封筒宛名記載板１６の他側には第２ミシン目線３０、第２折り線３２を介して封筒第２背面板３４が連続形成されている。この封筒第２背面板３４は前記封筒第１背面板２４と接着するようになっている（図２参照）。また、封筒第２背面板３４の側端面には差込突片３６が一体形成されている。
【００１５】
前記封筒宛名記載板１６の一端には第３折り線３８，３８を介してメモ帳本体カバー表紙板４０が連続形成されている。
このメモ帳本体カバー表紙板４０には綴じ片部４２が形成されており前記封筒宛名記載板１６の一端部と一緒に前記メモ帳本体１４の一端部を接着等の適宜固定手段で挟みつけてメモ帳本体１４を固定できるようになっている。
【００１６】
前記メモ帳本体カバー表紙板４０に左右方向に向かって形成された第１折り返し線４４と第２折り返し線４６の間にはメモ帳用広告記載部４８が形成されている。図４に示されるように、このメモ帳用広告記載部４８の裏面には発送人の社名、電話番号等が記載されているのでメモ帳転用ダイレクトメール封筒１０をメモ帳に転用して使用する場合にも発送付人の社名、電話番号等がよく見えて広告機能を発揮できるようになっている（図８参照）。
【００１７】
図３及び図４に示されるように、前記メモ帳本体カバー表紙板４０には第２差込スリット５０が上下方向に向かって形成されている。この第２差込スリット５０には前記差込突片３６が差し込まれるようになっている。
また、前記メモ帳本体カバー表紙板４０の他端部には差込片５２が形成されている。
【００１８】
前記封筒宛名記載板１６の下端には第３ミシン目線５４、第４折り線５６を介して封筒第３背面板５８が連続形成されている。
この封筒第３背面板５８には円弧状の第３差込スリット６０が形成されている。この第３差込スリット６０には前記差込片５２が差し込まれるようになっている。
【００１９】
図３に示されるように、前記封筒第１背面板２４にはメモ帳転用ダイレクトメール封筒１０の開封手順説明部分図６２Ａ，６４Ａ，６６Ａが記載され、前記封筒第２背面板３４にもメモ帳転用ダイレクトメール封筒１０の開封手順説明部分図６２Ｂ，６４Ｂ，６６Ｂが図示されている。
従って、図２に示されるように封筒第１背面板２４と封筒第２背面板３４を接着するとメモ帳転用ダイレクトメール封筒１０の開封手順説明図６２，６４，６６が図示されるようになっている。  
【００２０】
前記封筒宛名記載板１６と前記メモ帳本体カバー表紙板４０の間には図５に示される前記メモ帳本体１４が配設されている。
図５に示されるように、このメモ帳本体１４は、一番表に配設されると共に発送人の広告等が記載されたメモ帳広告用紙７０と、メモ帳広告用紙７０の下に配設されると共に筆記具でメモをとる多数枚のメモ用紙７２（図６参照）と、を綴じて構成されている。
なお、前記メモ帳広告用紙７０とメモ用紙７２の上端部には左右方向に向かってミシン目（図示せず）が形成されており、メモ帳広告用紙７０やメモ用紙７２が不要になった場合は切り取ることができるようになっている。
【００２１】
次に実施例のメモ帳転用可能ダイレクトメール封筒１０の作用について説明する。
実施例のメモ帳転用可能ダイレクトメール封筒１０は、封筒本体１２の内側にメモ帳本体１４が内設されているためメモ帳転用可能ダイレクトメール封筒１０は一定の厚みを有し、立体的であるため従来の扁平なダイレクトメールと一見して差別化を図ることができる。
【００２２】
また、メモ帳転用可能ダイレクトメール封筒１０を受け取った受取人は、メモ帳転用可能ダイレクトメール封筒１０に中に何が入っているのかと関心を抱く。
受取人がメモ帳転用可能ダイレクトメール封筒１０に関心を持つことにより受取人はメモ帳転用可能ダイレクトメール封筒１０を直ぐに廃棄しないでメモ帳転用可能ダイレクトメール封筒１０に記載されている広告を読むことにより広告効果を発揮できる。
【００２３】
また、メモ帳転用可能ダイレクトメール封筒１０に関心を持った受取人は背面に記載された開封手順説明図６２，６４，６６に従って開封用ミシン目２６を破断してから、第１ミシン目線２０と第２ミシン目線３０と第３ミシン目線５４を破断して、封筒第１背面板２４、封筒第２背面板３４、封筒第３背面板５８を切り離す。
これにより、メモ帳転用可能ダイレクトメール封筒１０は図７に示されるようにメモ帳Ｍとなる。メモ帳Ｍのメモ帳本体カバー表紙板４０にも発送人の広告が記載されているので受取人がメモ帳Ｍを見ることにより広告効果を発揮できる。
【００２４】
メモ帳Ｍを使用する場合は、図８に示されるように、メモ帳本体カバー表紙板４０を捲って第１折り返し線４４、第２折り返し線４６で折り返してメモ帳本体カバー表紙板４０を封筒宛名記載板１６に対応させると共に図９に示されるように差込片５２を第１差込スリット１８に差し込む。
メモ帳Ｍを使用する場合に、図８に示されるようにメモ帳Ｍの正面には発送人の広告等が記載されているメモ帳用広告記載部４８やメモ帳広告用紙７０が現れるのでメモ帳Ｍを使用する場合に発送人の広告等を見ることになる。
【００２５】
なお、メモ帳Ｍにメモをとる場合はメモ帳広告用紙７０をミシン目で破ってメモ用紙７２にメモすることができる。
従って、メモ帳転用可能ダイレクトメール封筒１０は従来のダイレクトメートと違って立体的であるので一見して差別化を図ることができると共に受取人が関心を示して開封するため、従来のダイレクトメールのように開封されないで廃棄される確率を下げることができる。
また、メモ帳Ｍに転用後もメモ帳用広告記載部４８に記載された発送人の社名、電話番号等が現れているので、メモ帳Ｍを使用する度に発送人の社名、電話番号等を見ることになるので発送人の広告機能を高めることができる。      
【００２６】
なお、実施例では封筒第１背面板２４に帯状の開封用ミシン目２６を形成したが、開封用ミシン目２６は封筒第２背面板３４に形成してもよいことは勿論である。
また、実施例では開封手順説明図６２，６４，６６に従ってメモ帳転用可能ダイレクトメール封筒１０を開封したが、  開封手順説明図６２，６４，６６に従わない手順でメモ帳転用可能ダイレクトメール封筒１０を開封してもよいことは勿論である。
【００２７】
なお、実施例でメモ帳転用可能ダイレクトメール封筒１０に印刷された広告の文字や文章等は一例であり、他の広告の文字や文章を印刷してもよいことは勿論である。
また、実施例で示したメモ帳転用可能ダイレクトメール封筒１０の部分以外の部分に発送人の広告を印刷記載してもよいことは勿論である。
【符号の説明】
【００２８】
１０    メモ帳転用可能ダイレクトメール封筒
１２    封筒本体
１４    メモ帳本体
１６    封筒宛名記載板
１８    第１差込スリット
２０    第１ミシン目線
２２    第１折り線
２４    封筒第１背面板
２６    開封用ミシン目
３０    第２ミシン目線
３２    第２折り線
３４    封筒第２背面板
３６    差込突片
３８    第３折り線
４０    メモ帳本体カバー表紙板
４２    綴じ片部
４４    第１折り返し線
４６    第２折り返し線
４８    メモ帳用広告記載部
５０    第２差込スリット
５２    差込片
５４    第３ミシン目線
５６    第４折り線
５８    封筒第３背面板
６０    第３差込スリット
６２    開封手順説明図  
６４    開封手順説明図
６６    開封手順説明図
７０    メモ帳広告用紙
７２    メモ用紙
【図１】
0003200037.tif 000003
【図２】
0003200037.tif 000004
【図３】
0003200037.tif 000005
【図４】
0003200037.tif 000006
【図５】
0003200037.tif 000007
【図６】
0003200037.tif 000008
【図７】
0003200037.tif 000009
【図８】
0003200037.tif 000010
【図９】
0003200037.tif 000011